(57)【特許請求の範囲】
【請求項１】
船舶に搭載され、圧縮機構（30）と、冷媒が流れる冷媒室（S1）が内部に形成されたシェル（41）と上記冷媒室（S1）に挿通されて冷却水が流れる冷却管（42）とを有する水冷式の凝縮器（40）と、膨脹機構（50）と、蒸発器（60）とが順次接続された冷媒回路（20）を備えた舶用冷凍装置であって、
上記冷媒回路（20）の動作中に、上記凝縮器（40）において、上記冷媒室（S1）の冷媒が上記冷却管（42）内へ漏れている異常状態であるか否かを判定する異常判定部（81）と、
上記異常判定部（81）が異常状態と判定すると、上記冷却管（42）から上記冷媒回路（20）への冷却水の浸入を回避するための所定の異常時動作を行う異常時動作部（82）とを備え、
上記圧縮機構（30）の吐出管（21b,22b,23b）には、該圧縮機構（30）から上記凝縮器（40）へ向かう向きの冷媒の流通を許容する一方、逆向きの冷媒の流通を阻止する逆止弁（28）が設けられ、
上記冷媒回路（20）における上記凝縮器（40）と上記膨脹機構（50）との間には、電磁弁（29）が設けられ、
上記異常時動作部（82）は、上記異常時動作として、上記電磁弁（29）を閉じると共に上記圧縮機構（30）を停止して上記冷媒回路（20）の動作を停止する
ことを特徴とする舶用冷凍装置。
【請求項２】
請求項１において、
上記異常判定部（81）は、上記冷媒回路（20）内の所定箇所における冷媒圧力を用いて上記判定を行う
ことを特徴とする舶用冷凍装置。
【請求項３】
請求項２において、
上記冷媒回路（20）の上記圧縮機構（30）と上記凝縮器（40）との間における冷媒の圧力が所定の下限値まで下がると作動する圧力スイッチ（95）を備え、
上記異常判定部（81）は、上記圧力スイッチ（95）が作動すると、上記異常状態と判定する
ことを特徴とする舶用冷凍装置。
【請求項４】
請求項２において、
上記冷媒室（S1）内の圧力を検出する冷媒圧力センサ（96）と、
上記凝縮器（40）に流入する冷却水の圧力を検出する水圧センサ（97）とを備え、
上記異常判定部（81）は、上記冷媒圧力センサ（96）の検出値から上記水圧センサ（97）の検出値を減じた差圧が、所定の下限値を下回った場合に、上記異常状態と判定する
ことを特徴とする舶用冷凍装置。
【請求項５】
船舶に搭載され、圧縮機構（30）と、冷媒が流れる冷媒室（S1）が内部に形成されたシェル（41）と上記冷媒室（S1）に挿通されて冷却水が流れる冷却管（42）とを有する水冷式の凝縮器（40）と、膨脹機構（50）と、蒸発器（60）とが順次接続された冷媒回路（20）を備えた舶用冷凍装置であって、
上記凝縮器（40）において、上記冷媒室（S1）の冷媒が上記冷却管（42）内へ漏れている異常状態であるか否かを判定する異常判定部（81）と、
上記異常判定部（81）が異常状態と判定すると、上記冷却管（42）から上記冷媒回路（20）への冷却水の浸入を回避するための所定の異常時動作を行う異常時動作部（82）と、
上記冷媒室（S1）内の圧力を検出する冷媒圧力センサ（96）と、
上記凝縮器（40）に流入する冷却水の圧力を検出する水圧センサ（97）とを備え、
上記異常判定部（81）は、上記冷媒圧力センサ（96）の検出値から上記水圧センサ（97）の検出値を減じた差圧が、所定の下限値を下回った場合に、上記異常状態と判定する
ことを特徴とする舶用冷凍装置。
【請求項６】
請求項２において、
上記冷媒室（S1）内の圧力から上記凝縮器（40）に流入する冷却水の圧力を減じた差圧が所定の下限値を下回ると作動する差圧スイッチ（98）を備え、
上記異常判定部（81）は、上記差圧スイッチ（98）が作動すると、上記異常状態と判定する
ことを特徴とする舶用冷凍装置。
【請求項７】
船舶に搭載され、圧縮機構（30）と、冷媒が流れる冷媒室（S1）が内部に形成されたシェル（41）と上記冷媒室（S1）に挿通されて冷却水が流れる冷却管（42）とを有する水冷式の凝縮器（40）と、膨脹機構（50）と、蒸発器（60）とが順次接続された冷媒回路（20）を備えた舶用冷凍装置であって、
上記凝縮器（40）において、上記冷媒室（S1）の冷媒が上記冷却管（42）内へ漏れている異常状態であるか否かを判定する異常判定部（81）と、
上記異常判定部（81）が異常状態と判定すると、上記冷却管（42）から上記冷媒回路（20）への冷却水の浸入を回避するための所定の異常時動作を行う異常時動作部（82）と、
上記冷媒室（S1）内の圧力から上記凝縮器（40）に流入する冷却水の圧力を減じた差圧が所定の下限値を下回ると作動する差圧スイッチ（98）とを備え、
上記異常判定部（81）は、上記差圧スイッチ（98）が作動すると、上記異常状態と判定する
ことを特徴とする舶用冷凍装置。
【請求項８】
請求項２において、
上記冷媒回路（20）の蒸発器（60）と上記圧縮機構（30）との間における冷媒の圧力が所定の下限値まで下がると作動する低圧圧力スイッチ（92）を設け、
上記異常判定部（81）は、上記低圧圧力スイッチ（92）が作動すると、上記異常状態と判定する
ことを特徴とする舶用冷凍装置。
【請求項９】
請求項１乃至８のいずれか１つにおいて、
上記異常時動作部（82）は、上記異常時動作として上記冷媒回路（20）の動作を停止すると共に警報を発する
ことを特徴とする舶用冷凍装置。
【請求項１０】
請求項１乃至８のいずれか１つにおいて、
上記凝縮器（40）に冷却水を導く流入管（71）と、
上記流入管（71）に設けられ、該流入管（71）を開閉する開閉弁（73）とを備え、
上記異常時動作部（82）は、上記異常時動作として上記冷媒回路（20）の動作を停止すると共に上記開閉弁（73）を閉状態に制御する
ことを特徴とする舶用冷凍装置。
【発明の詳細な説明】
【技術分野】
【０００１】
本発明は、水冷式の凝縮器を備え、船舶の空気調和装置等に用いられる舶用冷凍装置に関するものである。
【背景技術】
【０００２】
従来、船舶の空気調和装置等の舶用冷凍装置に、水冷式の凝縮器が用いられている（例えば、下記の特許文献１を参照）。特許文献１の水冷式の凝縮器は、内部に冷媒が流通する冷媒室が形成されたシェルと、シェル内において冷媒室に挿通されて冷却水が流れる複数の冷却管とを有し、冷却水と冷媒とを熱交換させるように構成されている。このような舶用冷凍装置に搭載された水冷式の凝縮器では、冷却水が流通して常時冷却水に接する冷却管は、腐食によって穴があくおそれがある。
【０００３】
そこで、従来、上述のような水冷式凝縮器では、冷却管を構成する金属（主に銅）よりもイオン化傾向が高い亜鉛等からなる犠牲陽極を設け、冷却管よりも先に犠牲陽極を腐食させることにより、冷却管の腐食を防止している。
【先行技術文献】
【特許文献】
【０００４】
【特許文献１】特開２０１２−１２２６７０号公報
【発明の概要】
【発明が解決しようとする課題】
【０００５】
しかしながら、冷却管の水量が多すぎる場合には、犠牲陽極を設けても冷却管が腐食して穴があくおそれがある。冷却管に穴があくと、高圧冷媒が冷却管へ漏れ、やがて冷却管の内外の圧力が等しくなると、今度は、冷却管を流れる冷却水が冷媒回路に浸入する。冷却水が冷媒回路に浸入すると、冷媒回路の構成部品が冷却水によって故障するおそれがある。従来の舶用冷凍装置では、冷媒回路において不具合が生じても、点検した上でしか冷却管に穴があいていることを検知することができなかった。そのため、冷却管に穴があいていることを検知したときには、既に冷媒回路の構成部品が破損しており、冷媒回路の構成部品の破損を未然に防ぐことができなかった。
【０００６】
本発明は、かかる点に鑑みてなされたものであり、その目的は、水冷式の凝縮器を備えた舶用の冷凍装置において、冷却管に穴があいた場合であっても冷媒回路の構成部品の破損を防止することにある。
【課題を解決するための手段】
【０００７】
第１の発明は、船舶に搭載され、圧縮機構（30）と、冷媒が流れる冷媒室（S1）が内部に形成されたシェル（41）と上記冷媒室（S1）に挿通されて冷却水が流れる冷却管（42）とを有する水冷式の凝縮器（40）と、膨脹機構（50）と、蒸発器（60）とが順次接続された冷媒回路（20）を備えた舶用冷凍装置であって、上記冷媒回路（20）の動作中に、上記凝縮器（40）において、上記冷媒室（S1）の冷媒が上記冷却管（42）内へ漏れている異常状態であるか否かを判定する異常判定部（81）と、上記異常判定部（81）が異常状態と判定すると、上記冷却管（42）から上記冷媒回路（20）への冷却水の浸入を回避するための所定の異常時動作を行う異常時動作部（82）と、上記冷媒室（S1）内の圧力を検出する冷媒圧力センサ（96）と、上記凝縮器（40）に流入する冷却水の圧力を検出する水圧センサ（97）とを備え、上記異常判定部（81）は、上記冷媒圧力センサ（96）の検出値から上記水圧センサ（97）の検出値を減じた差圧が、所定の下限値を下回った場合に、上記異常状態と判定する。
【０００８】
第１の発明では、冷媒回路（20）において、冷媒が循環して冷凍サイクルが行われる。このとき、水冷式の凝縮器（40）では、冷媒室（S1）内に流入した冷媒と、該冷媒室（S1）内に挿通された冷却管（42）内を流れる冷却水との間において熱交換が行われ、冷媒が冷却水に放熱して凝縮する。
【０００９】
ところで、水冷式の凝縮器（40）において、冷却水が流通して常時冷却水に接する冷却管（42）は、腐食によって穴があくおそれがある。冷却管（42）に穴があくと、まず、冷媒室（S1）の高圧の冷媒が冷却管（42）内へ漏れ、冷媒室（S1）内の圧力が低下する。その後、冷媒室（S1）内の圧力が冷却管（42）内の圧力と等しくなるまで低下すると、冷却管（42）内の冷却水が冷媒室（S1）内に漏れて冷媒回路（20）に浸入し、冷媒回路（20）の構成部品が故障するおそれがある。
【００１０】
そこで、第１の発明では、異常判定部（81）と異常時動作部（82）とを設け、冷却管（42）に穴があいた直後に生じる状態、即ち、冷媒室（S1）の冷媒が冷却管（42）内へ漏れている異常状態を判定すると、所定の異常時動作を行って冷却管（42）から冷媒回路（20）への冷却水の浸入を回避するようにしている。
【００１１】
第２の発明は、第１の発明において、上記異常判定部（81）は、上記冷媒回路（20）内の所定箇所における冷媒圧力を用いて上記判定を行う。
【００１２】
水冷式の凝縮器（40）の冷却管（42）に穴があくと、高圧の冷媒が流入する冷媒室（S1）と冷却水が流れる冷却管（42）内の圧力差により、冷媒室（S1）の冷媒が冷却管（42）内に漏れる。そのため、冷媒回路（20）の高圧圧力が低下し、これに伴って低圧圧力も低下する。つまり、冷媒回路（20）のいずれの箇所においても冷媒の圧力が低下することとなる。
【００１３】
そこで、第２の発明では、冷媒回路（20）の所定箇所における冷媒圧力を用いて、冷媒室（S1）の冷媒が冷却管（42）内へ漏れているか否かを判定することとしている。
【００１４】
第３の発明は、第２の発明において、上記冷媒回路（20）の上記圧縮機構（30）と上記凝縮器（40）との間における冷媒の圧力が所定の下限値まで下がると作動する圧力スイッチ（95）を備え、上記異常判定部（81）は、上記圧力スイッチ（95）が作動すると、上記異常状態と判定する。
【００１５】
水冷式の凝縮器（40）の冷却管（42）に穴があくと、高圧の冷媒が流入する冷媒室（S1）と冷却水が流れる冷却管（42）内の圧力差により、冷媒室（S1）の冷媒が冷却管（42）内に漏れ、冷媒室（S1）内の圧力（冷媒回路（20）の高圧圧力）が低下する。
【００１６】
そこで、第３の発明では、冷媒回路（20）の圧縮機構（30）と凝縮器（40）との間に、この間の冷媒圧力（即ち、高圧圧力）が所定の下限値よりも低下すると作動する圧力スイッチ（95）を設け、この圧力スイッチ（95）を用いて、冷媒室の冷媒が冷却管（42）内へ漏れているか否かを判定することとしている。
【００１７】
第４の発明は、第２の発明において、上記冷媒室（S1）内の圧力を検出する冷媒圧力センサ（96）と、上記凝縮器（40）に流入する冷却水の圧力を検出する水圧センサ（97）とを備え、上記異常判定部（81）は、上記冷媒圧力センサ（96）の検出値から上記水圧センサ（97）の検出値を減じた差圧が、所定の下限値を下回った場合に、上記異常状態と判定するように構成されている。
【００１８】
第５の発明は、船舶に搭載され、圧縮機構（30）と、冷媒が流れる冷媒室（S1）が内部に形成されたシェル（41）と上記冷媒室（S1）に挿通されて冷却水が流れる冷却管（42）とを有する水冷式の凝縮器（40）と、膨脹機構（50）と、蒸発器（60）とが順次接続された冷媒回路（20）を備えた舶用冷凍装置であって、上記凝縮器（40）において、上記冷媒室（S1）の冷媒が上記冷却管（42）内へ漏れている異常状態であるか否かを判定する異常判定部（81）と、上記異常判定部（81）が異常状態と判定すると、上記冷却管（42）から上記冷媒回路（20）への冷却水の浸入を回避するための所定の異常時動作を行う異常時動作部（82）と、上記冷媒室（S1）内の圧力を検出する冷媒圧力センサ（96）と、上記凝縮器（40）に流入する冷却水の圧力を検出する水圧センサ（97）とを備え、上記異常判定部（81）は、上記冷媒圧力センサ（96）の検出値から上記水圧センサ（97）の検出値を減じた差圧が、所定の下限値を下回った場合に、上記異常状態と判定する。
【００１９】
第６の発明は、第２の発明において、上記冷媒室（S1）内の圧力から上記凝縮器（40）に流入する冷却水の圧力を減じた差圧が所定の下限値を下回ると作動する差圧スイッチ（98）を備え、上記異常判定部（81）は、上記差圧スイッチ（98）が作動すると、上記異常状態と判定する。
【００２０】
第７の発明は、船舶に搭載され、圧縮機構（30）と、冷媒が流れる冷媒室（S1）が内部に形成されたシェル（41）と上記冷媒室（S1）に挿通されて冷却水が流れる冷却管（42）とを有する水冷式の凝縮器（40）と、膨脹機構（50）と、蒸発器（60）とが順次接続された冷媒回路（20）を備えた舶用冷凍装置であって、上記凝縮器（40）において、上記冷媒室（S1）の冷媒が上記冷却管（42）内へ漏れている異常状態であるか否かを判定する異常判定部（81）と、上記異常判定部（81）が異常状態と判定すると、上記冷却管（42）から上記冷媒回路（20）への冷却水の浸入を回避するための所定の異常時動作を行う異常時動作部（82）と、上記冷媒室（S1）内の圧力から上記凝縮器（40）に流入する冷却水の圧力を減じた差圧が所定の下限値を下回ると作動する差圧スイッチ（98）とを備え、上記異常判定部（81）は、上記差圧スイッチ（98）が作動すると、上記異常状態と判定する。
【００２１】
水冷式の凝縮器（40）の冷却管（42）に穴があくと、高圧の冷媒が流入する冷媒室（S1）と冷却水が流れる冷却管（42）内の圧力差により、冷媒室（S1）の冷媒が冷却管（42）内に漏れる。これにより、冷媒室（S1）内の圧力が低下し、冷却管（42）内の圧力に近づく。上述したように、冷媒室（S1）内の圧力が、冷却管（42）内の圧力と等しくなると、冷却管（42）の冷却水が冷媒室（S1）内に漏れて冷媒回路（20）に浸入するおそれがある。
【００２２】
そこで、第４乃至第７の発明では、冷媒室（S1）内の圧力から冷却管（42）内の冷却水の圧力を減じた差圧によって、冷媒室（S1）内の圧力が冷却管（42）内の圧力まで下がる前の状態であることを検知し、冷却水が冷媒回路（20）に浸入する前に異常時動作を行って冷却管（42）から冷媒回路（20）への冷却水の浸入を回避している。
【００２３】
第８の発明は、第２の発明において、上記冷媒回路（20）の蒸発器（60）と上記圧縮機構（30）との間における冷媒の圧力が所定の下限値まで下がると作動する低圧圧力スイッチ（92）を設け、上記異常判定部（81）は、上記低圧圧力スイッチ（92）が作動すると、上記異常状態と判定する。
【００２４】
水冷式の凝縮器（40）の冷却管（42）に穴があくと、高圧の冷媒が流入する冷媒室（S1）と冷却水が流れる冷却管（42）内の圧力差により、冷媒室（S1）の冷媒が冷却管（42）内に漏れ、冷媒室（S1）内の圧力（冷媒回路（20）の高圧圧力）が低下し、これに伴って冷媒回路（20）の低圧圧力も低下する。
【００２５】
そこで、第８の発明では、冷媒回路（20）の蒸発器（60）と圧縮機構（30）との間に、この間の冷媒圧力（即ち、低圧圧力）が所定の下限値よりも低下すると作動する低圧圧力スイッチ（92）を設け、冷媒室（S1）の冷媒が冷却管（42）内へ漏れているか否かを判定することとしている。
【００２６】
第９の発明は、第１乃至第８のいずれか１つの発明において、上記異常時動作部（82）は、上記異常時動作として上記冷媒回路（20）の動作を停止すると共に警報を発する。
【００２７】
第９の発明では、異常判定部（81）が、凝縮器（40）において冷媒室（S1）の冷媒が冷却管（42）内へ漏れている異常状態であると判定すると、異常時動作部（82）が、冷却管（42）から冷媒回路（20）への冷却水の浸入を回避するための所定の異常時動作として、冷媒回路（20）の動作を停止すると共に警報を発する。
【００２８】
第１０の発明は、第１乃至第８のいずれか１つの発明において、上記凝縮器（40）に冷却水を導く流入管（71）と、上記流入管（71）に設けられ、該流入管（71）を開閉する開閉弁（73）とを備え、上記異常時動作部（82）は、上記異常時動作として上記冷媒回路（20）の動作を停止すると共に上記開閉弁（73）を閉状態に制御する。
【００２９】
第１０の発明では、異常判定部（81）が、凝縮器（40）において冷媒室（S1）の冷媒が冷却管（42）内へ漏れている異常状態であると判定すると、異常時動作部（82）が、冷却管（42）から冷媒回路（20）への冷却水の浸入を回避するための所定の異常時動作として、冷媒回路（20）の動作を停止すると共に流入管（71）に設けられた開閉弁（73）を閉じて凝縮器（40）への冷却水の流入を止める。
【発明の効果】
【００３０】
第１の発明によれば、舶用冷凍装置に、水冷式の凝縮器（40）において冷媒室の冷媒が冷却管（42）内へ漏れている異常状態を判定する異常判定部（81）と、該異常判定部（81）が異常状態と判定すると冷却管（42）から冷媒回路（20）への冷却水の浸入を回避するための所定の異常時動作を行う異常時動作部（82）とを設けることとした。このような異常判定部（81）と異常時動作部（82）とにより、冷却管（42）に穴があいた直後に生じる状態、即ち、冷媒室（S1）の冷媒が冷却管（42）内へ漏れている異常状態から冷却管（42）に穴があいたことを検知し、冷媒室（S1）内の圧力と冷却管（42）内の圧力とが等しくなって冷却管（42）から冷媒回路（20）に冷却水が浸入する前に、所定の異常時動作を行うことで、冷却管（42）から冷媒回路（20）への冷却水の浸入を回避することができる。従って、冷却管（42）に穴があいた場合であっても、冷媒回路（20）への冷却水の浸入による冷媒回路（20）の構成部品の破損を防止することができる。
【００３１】
また、第２の発明によれば、水冷式の凝縮器（40）の冷却管（42）に穴があくと、冷媒室（S1）の高圧の冷媒が冷却管（42）内に漏れて冷媒回路（20）全体の冷媒圧力が低下する。そのため、冷媒回路（20）内の所定箇所における冷媒圧力を用いることで、冷媒室（S1）の冷媒が冷却管（42）内へ漏れているか否かを容易に判定することができる。
【００３２】
また、第３の発明によれば、水冷式の凝縮器（40）の冷却管（42）に穴があくと、冷媒室（S1）の高圧の冷媒が冷却管（42）内に漏れて冷媒回路（20）全体の冷媒圧力が低下する。そのため、冷媒回路（20）の圧縮機構（30）と凝縮器（40）との間に、冷媒圧力（即ち、高圧圧力）が所定の下限値よりも低下すると作動する圧力スイッチ（95）を設けることにより、該圧力スイッチ（95）の作動から冷媒室（S1）の冷媒が冷却管内へ漏れている異常状態であるか否かを容易に判定することができる。
【００３３】
また、第４乃至第７の発明によれば、水冷式の凝縮器（40）の冷却管（42）に穴があくと、冷媒室（S1）の高圧の冷媒が冷却管（42）内に漏れて冷媒室（S1）内の圧力が低下する。そして、冷媒室（S1）内の圧力が冷却管（42）内の圧力と等しくなると、冷却管（42）の冷却水が冷媒室（S1）内に漏れて冷媒回路（20）に浸入するおそれがある。そこで、第４乃至第７の発明では、冷媒室（S1）内の圧力から冷却管（42）内の冷却水の圧力を減じた差圧から、冷媒室（S1）内の圧力が冷却管（42）内の圧力まで下がる前の状態であることを検知し、冷却水が冷媒回路（20）に浸入する前に所定の異常時動作を行うことで、冷却管（42）から冷媒回路（20）への冷却水の浸入を回避することができる。従って、冷却管（42）に穴があいた場合であっても、冷媒回路（20）への冷却水の浸入による冷媒回路（20）の構成部品の破損を防止することができる。
【００３４】
また、第８の発明によれば、水冷式の凝縮器（40）の冷却管（42）に穴があくと、冷媒室（S1）の高圧の冷媒が冷却管（42）内に漏れて冷媒回路（20）全体の冷媒圧力が低下する。そのため、冷媒回路（20）の蒸発器（60）と圧縮機構（30）との間に、冷媒圧力（即ち、低圧圧力）が所定の下限値よりも低下すると作動する低圧圧力スイッチ（92）を設けることにより、該低圧圧力スイッチ（92）の作動から冷媒室（S1）の冷媒が冷却管（42）内へ漏れている異常状態であるか否かを容易に判定することができる。
【００３５】
また、第９の発明によれば、異常時動作部（82）が、異常時動作として冷媒回路（20）の動作を停止すると共に警報を発することとした。この警報により、作業者は、冷却管（42）に穴があいて冷媒室（S1）の冷媒が冷却管（42）内へ漏れている異常状態であることを検知することができるため、冷却管（42）内への冷却水の流入を止める等の措置を行うことで、冷却管（42）から冷媒回路（20）への冷却水の浸入を回避することができる。
【００３６】
また、第１０の発明によれば、異常時動作部（82）が、異常時動作として冷媒回路（20）の動作を停止すると共に凝縮器（40）への冷却水の流入を止めることとした。これにより、冷却管（42）から冷媒回路（20）への冷却水の浸入を回避することができる。
【図面の簡単な説明】
【００３７】
【図１】図１は、本発明の実施形態１に係る空気調和装置の概略構成図である。
【図２】図２は、本発明の実施形態１に係る水冷式の凝縮器の一部を切り欠いて示す全体図である。
【図３】図３は、本発明の実施形態１に係る水冷式の凝縮器の前蓋を後側から見た図である。
【図４】図４は、本発明の実施形態２に係る空気調和装置の概略構成図である。
【図５】図５は、本発明の実施形態３に係る空気調和装置の概略構成図である。
【図６】図６は、本発明の実施形態４に係る空気調和装置の概略構成図である。
【発明を実施するための形態】
【００３８】
以下、本発明の実施形態について図面を参照しながら説明する。なお、以下の実施形態は、本質的に好ましい例示であって、本発明、その適用物、あるいはその用途の範囲を制限することを意図するものではない。
【００３９】
《発明の実施形態１》
図１は、本発明の実施形態１に係る空気調和装置（10）の概略構成図である。本実施形態の空気調和装置（10）は、船舶用の空調システムに設けられている。具体的には、空気調和装置（10）は、船舶用のデッキ等の屋外に設けられ、吸込ダクトを介して船舶用の船室（図示省略）内の室内空気と屋外の室外空気とを取り込み、温度調節した後、給気ダクト（図示省略）を介して船室内に供給する。
【００４０】
図１に示すように、本実施形態の空気調和装置（10）は、冷媒回路（20）と、水回路（70）と、送風ファン（15）と、コントローラ（80）と、これらを収容するケーシング（11）とを備えている。
【００４１】
〈冷媒回路〉
冷媒回路（20）は、圧縮機ユニット（圧縮機構）（30）、凝縮器（40）、膨張弁（膨脹機構）（50）、蒸発器（60）を順に配管で接続して構成した閉回路である。冷媒回路（20）では、圧縮機ユニット（30）と凝縮器（40）とが高圧ガス配管（24）によって接続され、凝縮器（40）と膨張弁（50）とが高圧液配管（25）によって接続され、膨張弁（50）と蒸発器（60）とが低圧液配管（26）によって接続され、蒸発器（60）と圧縮機ユニット（30）とが低圧ガス配管（27）によって接続されている。高圧液配管（25）には、電磁弁（29）が設けられている。この冷媒回路（20）には、冷媒が充填されている。
【００４２】
−圧縮機ユニット−
圧縮機ユニット（30）は、３台の圧縮機、即ち第１〜第３圧縮機（31,32,33）を備えている。なお、圧縮機ユニット（30）に設けられた圧縮機（31,32,33）の台数は、単なる一例である。第１〜第３圧縮機（31,32,33）は、それぞれ全密閉型のスクロール圧縮機によって構成されている。
【００４３】
圧縮機ユニット（30）において、第１及び第２圧縮機（31,32）は互いに並列に接続され、第３圧縮機（33）は、この並列に接続された第１及び第２圧縮機（31,32）に対して、並列に接続されている。
【００４４】
具体的には、第１及び第２圧縮機（31,32）の吸入管（21a,22a）は、互いに接続された状態で、蒸発器（60）の出口に接続された低圧ガス配管（27）に接続されている。一方、第３圧縮機（33）の吸入管（23a）は、そのまま低圧ガス配管（27）に接続されている。第１〜第３圧縮機（31,32,33）の吐出管（21b,22b,23b）は、いずれも凝縮器（40）の冷媒入口に接続された高圧ガス配管（24）に接続されている。各吐出管（21b,22b,23b）には、各圧縮機（31,32,33）から高圧ガス配管（24）へ向かう向きの冷媒の流通を許容する一方、逆向きの冷媒の流通を阻止する逆止弁（28）が設けられている。
【００４５】
このような構成により、圧縮機ユニット（30）において、第１〜第３圧縮機（31,32,33）は、吸入管（21a,22a,23a）を介して低圧ガス配管（27）から吸い込んだ冷媒を圧縮し、圧縮した冷媒を吐出管（21b,22b,23b）を介して高圧ガス配管（24）へ吐出する。
【００４６】
凝縮器（40）は、冷媒回路（20）と水回路（70）とに接続され、冷媒を冷却水（具体的には、海水や河川等から取り込まれた水）と熱交換させる水冷式の凝縮器である。凝縮器（40）の具体的な構成については後述する。
【００４７】
−凝縮器−
図２に示すように、凝縮器（40）は、いわゆるシェル・アンド・チューブ型の熱交換器であり、密閉型の円筒状のシェル（41）と、該シェル（41）内部に設けられた複数の銅製の冷却管（42）とを備えている。シェル（41）は、胴部（41a）と、一対の管板（端板）（41b,41c）と、一対の蓋板（41d,41e）とを備えている。
【００４８】
胴部（41a）は、前後方向に長い円筒状に形成されている。胴部（41a）は、両端が一対の管板（41b,41c）によって閉塞され、内部に冷媒が流通する冷媒室（S1）が形成されている。胴部（41a）の上部には、冷媒を冷媒室（S1）に導入する導入管（43）が接続され、胴部（41a）の下部には、冷媒室（S1）の冷媒を導出する導出管（44）が接続されている。導入管（43）の他端は、冷媒回路（20）の高圧ガス配管（24）に接続され、導出管（44）の他端は、冷媒回路（20）の高圧液配管（25）に接続されている。
【００４９】
一対の管板（41b,41c）は、前管板（41b）と後管板（41c）とによって構成されている。前管板（41b）と後管板（41c）は、ネーバル黄銅と鉄の圧着鋼（クラッド鋼）によって形成されている。前管板（41b）は、胴部（41a）の前端を閉塞し、後管板（41c）は、胴部（41a）の後端を閉塞している。
【００５０】
一対の蓋板（41d,41e）は、前蓋板（41d）と後蓋板（41e）とによって構成されている。前蓋板（41d）と後蓋板（41e）は、アルミニウム青銅によって形成され、それぞれドーム状に形成されている。
【００５１】
図３に示すように、前蓋板（41d）は、胴部（41a）の前側に設けられ、前管板（41b）との間に、冷却水が流通する前側水室（S2）を形成している。また、前蓋板（41d）は、前側水室（S2）を入口水室（S21）と出口水室（S22）とに仕切る仕切板部（41f）を有している。前蓋板（41d）には、冷却水の給水管（45）と排水管（46）とが接続されている。給水管（45）は入口水室（S21）に開口し、排水管（46）は出口水室（S22）に開口している。また、前蓋板（41d）には、２つの犠牲陽極（47）が取り付けられている。２つの犠牲陽極（47）は、入口水室（S21）と出口水室（S22）のそれぞれに１つずつ設けられている。
【００５２】
一方、後蓋板（41e）は、胴部（41a）の後側に設けられ、後管板（41c）との間に、冷却水が流通する後側水室（S3）を形成している。後蓋板（41e）には、前蓋板（41d）と同様に、２つの犠牲陽極（47）が取り付けられている。
【００５３】
図２に示すように、複数の冷却管（42）は、冷媒室（S1）において、胴部（41a）の軸に平行に延び、互いに間隔を空けて配設されている。複数の冷却管（42）は、前端が前管板（41b）に支持される一方、後端が後管板（41c）に支持されるように、両管板（41b,41c）に挿入されている。この複数の冷却管（42）によって入口水室（S21）、後側水室（S3）及び出口水室（S22）は連通され、これら３つの水室（S3,S21,S22）と複数の冷却管（42）とによって複数の冷却水流路が形成されている。
【００５４】
−膨張弁−
膨張弁（50）は、いわゆる温度自動膨張弁である。膨張弁（50）の感温筒（51）は、低圧ガス配管（27）の蒸発器（60）の出口付近に取り付けられ、低圧ガス配管（27）の表面と接している。
【００５５】
−電磁弁−
電磁弁（29）は、第１〜第３圧縮機（31,32,33）の起動時及び停止前に使用する弁であり、第１〜第３圧縮機（31,32,33）を保護するために設けられている。もし仮に、第１〜第３圧縮機（31,32,33）を停止させた後に、蒸発器（60）内に液状の冷媒が残っていたとすれば、次に第１〜第３圧縮機（31,32,33）を運転させる際に、液状の冷媒が第１〜第３圧縮機（31,32,33）に入り込み、第１〜第３圧縮機（31,32,33）に過大な負荷がかかることになる。そこで、第１〜第３圧縮機（31,32,33）を停止させる場合は、電磁弁（29）を閉じた状態で、蒸発器（60）内の液冷媒がなくなるまで第１〜第３圧縮機（31,32,33）をしばらく運転させて、その後、第１〜第３圧縮機（31,32,33）を停止させている。また、第１〜第３圧縮機（31,32,33）を起動させる場合にも、電磁弁（29）を閉じた状態で、蒸発器（60）内に戻った液冷媒がなくなるまで第１〜第３圧縮機（31,32,33）をしばらく運転させて、その後、電磁弁（29）を開くようにしている。
【００５６】
−蒸発器−
蒸発器（60）は、いわゆるクロスフィン型のフィン・アンド・チューブ熱交換器であって、銅製の伝熱管とアルミニウム製のフィンとによって構成されている。この蒸発器（60）は、冷媒を空気と熱交換させる。
【００５７】
〈水回路〉
水回路（70）は、冷却水（具体的には、海水や河川等から取り込まれた水）を凝縮器（40）に流入させる流入管（71）と、凝縮器（40）から流出した冷却水を排出する流出管（72）と、開閉弁（73）とを備えている。流入管（71）は、ケーシング（11）の外部に設けられた冷却水入口（74）と凝縮器（40）の給水管（45）との間に接続され、流出管（72）は、ケーシング（11）の外部に設けられた冷却水出口（75）と凝縮器（40）の排水管（46）との間に接続されている。
【００５８】
ところで、本願の空気調和装置（10）では、水冷式の凝縮器（40）の冷却水として海水や河川等から取り込まれた水が用いられる。また、船舶では、通常、空気調和装置（10）の凝縮器（40）の冷却水の他に、エンジン、冷凍機、電気機器、発電機などの冷却水としても海水や河川等から取り込まれた水が用いられる。通常、海水や河川の水は、ポンプによって汲み上げられ、冷却水を使用する各機器（空気調和装置（10）の凝縮器（40）を含む）に分配される。つまり、空気調和装置（10）の凝縮器（40）の水回路（70）には、他の冷却水を使用する各機器と共有するポンプによって海水や河川の水が搬送される。
【００５９】
〈送風ファン〉
送風ファン（15）は、ケーシング（11）内において、ダクト（図示省略）と連通し、冷媒回路（20）の蒸発器（60）が設置された空間に設けられている。送風ファン（15）は、船室内の室内空気と屋外の室外空気とをダクトを介してケーシング（11）の内部に取り込み、該空気を、蒸発器（60）において冷媒と熱交換するように蒸発器（60）に導く。また、送風ファン（15）は、蒸発器（60）を通過して温度が調節された空気をダクトを介して船室等の室内空間に供給する。
【００６０】
〈センサ、コントローラ〉
−センサ−
空気調和装置（10）には、高圧圧力スイッチ（91）と低圧圧力スイッチ（92）と高圧圧力センサ（93）と低圧圧力センサ（94）とが設けられている。
【００６１】
高圧圧力スイッチ（91）は、各吐出管（21b,22b,23b）において各圧縮機（31,32,33）と逆止弁（28）との間に１つずつ設けられている。各高圧圧力スイッチ（91）は、各圧縮機（31,32,33）から吐出された高圧ガス冷媒の圧力が所定の上限値を上回る高圧異常の際に、作動してＯＮ信号をコントローラ（80）に送信するように構成されている。
【００６２】
低圧圧力スイッチ（92）は、低圧ガス配管（27）に設けられている。低圧圧力スイッチ（92）は、蒸発器（60）から流出して圧縮機ユニット（30）に吸入される低圧ガス冷媒の圧力が所定の下限値を下回る低圧異常の際に、作動してＯＮ信号をコントローラ（80）に送信するように構成されている。
【００６３】
高圧圧力センサ（93）は、高圧ガス配管（24）に設けられている。高圧圧力センサ（93）は、圧縮機ユニット（30）から吐出された高圧ガス冷媒の圧力を検出し、コントローラ（80）に送信するように構成されている。
【００６４】
低圧圧力センサ（94）は、低圧ガス配管（27）に設けられている。低圧圧力センサ（94）は、蒸発器（60）から流出して圧縮機ユニット（30）に吸入される低圧ガス冷媒の圧力を検出し、コントローラ（80）に送信するように構成されている。
【００６５】
なお、本実施形態の冷媒回路（20）には、後述する異常状態の際に異常時動作を行うために、高圧ガス配管（24）にも圧力スイッチ（95）が設けられている。該圧力スイッチ（95）は、圧縮機ユニット（30）から吐出されて凝縮器（40）に流入する高圧ガス冷媒の圧力が、著しく低下して所定の下限値を下回る高圧異常の際に、作動してＯＮ信号をコントローラ（80）に送信するように構成されている。
【００６６】
−コントローラ−
コントローラ（80）は、圧縮機ユニット（30）の運転容量を調節するように構成されている。具体的に、コントローラ（80）には、高圧圧力センサ（93）の検出値と、低圧圧力センサ（94）の検出値とが入力される。これらの検出値は、コントローラ（80）によって、圧縮機ユニット（30）の運転容量の調節に用いられる。また、コントローラ（80）は、高圧圧力スイッチ（91）又は低圧圧力スイッチ（92）からＯＮ信号を受信すると圧縮機ユニット（30）の運転を停止する保護制御を行うように構成されている。
【００６７】
さらに、コントローラ（80）は、異常判定部（81）と、異常時動作部（82）とを備え、水冷式の凝縮器（40）において、冷却管（42）が腐食して穴があいた場合に、冷却管（42）から冷媒回路（20）への冷却水の浸入を回避できるように構成されている。
【００６８】
異常判定部（81）は、水冷式の凝縮器（40）において、冷媒室（S1）の冷媒が冷却管（42）内へ漏れている異常状態であるか否かを判定する。具体的には、本実施形態では、異常判定部（81）は、冷媒回路（20）の高圧ガス配管（24）に設けられた圧力スイッチ（95）が作動して該圧力スイッチ（95）からＯＮ信号が入力されると、冷媒室（S1）の冷媒が冷却管（42）内へ漏れている異常状態であると判定するように構成されている。
【００６９】
異常時動作部（82）は、異常判定部（81）が異常状態と判定すると、冷却管（42）から冷媒回路（20）への冷却水の浸入を回避するための所定の異常時動作を行うように構成されている。本実施形態では、異常時動作部（82）は、異常時動作として冷媒回路（20）の動作を停止すると共に、水回路（70）の流入管（71）に設けられた開閉弁（73）を閉状態に制御するように構成されている。具体的には、異常時動作部（82）は、圧縮機ユニット（30）の第１〜第３圧縮機（31,32,33）の運転を停止し、電磁弁（29）を閉状態に制御して冷媒回路（20）の動作を停止し、開閉弁（73）を閉状態に制御して凝縮器（40）の冷却管（42）への冷却水の流入を停止するように構成されている。
【００７０】
本実施形態では、コントローラ（80）は、空気調和装置（10）の各要素を本願で開示するように制御する処理部としてのマイクロコンピュータと、実施可能な制御プログラムが記憶されたメモリやハードディスク等とを含んでいる。なお、上記コントローラ（80）は、空気調和装置（10）の制御部の一例であり、コントローラ（80）の詳細な構造やアルゴリズムは、本発明に係る機能を実行するどのようなハードウェアとソフトウェアとの組み合わせであってもよい。
【００７１】
−運転動作−
空気調和装置（10）の運転動作について説明する。
【００７２】
まず、コントローラ（80）によって、冷媒回路（20）の電磁弁（29）と水回路（70）の開閉弁（73）とが開状態に制御される。この状態において、コントローラ（80）は、圧縮機ユニット（30）の第１〜第３圧縮機（31,32,33）と送風ファン（15）の運転を開始することで、冷却した空気を船内に供給する冷房運転が実行される。
【００７３】
具体的には、第１〜第３圧縮機（31,32,33）において圧縮されて吐出された高圧ガス冷媒が、高圧ガス配管（24）を介して凝縮器（40）に流入する。水冷式の凝縮器（40）では、冷媒室（S1）において、冷媒が複数の冷却管（42）を流れる冷却水と熱交換して（放熱して）凝縮する。凝縮器（40）において凝縮した冷媒は、高圧液配管（25）によって膨張弁（50）に導かれ、該膨張弁（50）を通過する際に減圧されて気液二相状態となる。
【００７４】
膨張弁（50）を通過した冷媒は、低圧液配管（26）を通過して蒸発器（60）へ流入する。蒸発器（60）では、伝熱管を流れる冷媒が、フィン間を通過する空気と熱交換して（該空気から吸熱して）蒸発する。蒸発器（60）において蒸発した冷媒は、過熱蒸気となって低圧ガス配管（27）を介して圧縮機ユニット（30）に流入する。
【００７５】
圧縮機ユニット（30）に流入した冷媒は、二手に分かれ、一方は、互いに並列に接続された第１及び第２圧縮機（31,32）に吸入され、他方は、第３圧縮機（33）に吸入される。各圧縮機（31,32,33）へ吸入された冷媒は、圧縮された後に各圧縮機（31,32,33）から吐出される。
【００７６】
〈異常状態の判定と異常時動作〉
空気調和装置（10）では、水冷式の凝縮器（40）において、冷却管（42）が腐食して穴があき、冷媒室（S1）の冷媒が冷却管（42）内へ漏れている際（異常状態の際）に、冷却管（42）から冷媒回路（20）への冷却水の浸入を回避するための異常時動作を行う。
【００７７】
具体的には、水冷式の凝縮器（40）において、冷却管（42）の腐食により、該冷却管（42）に穴があくと、高圧の冷媒が流入する冷媒室（S1）と冷却水が流れる冷却管（42）内の圧力差により、冷媒室（S1）の冷媒が冷却管（42）内に漏れ、冷媒室（S1）内の圧力（冷媒回路（20）の高圧圧力）が低下する。この冷媒室（S1）内の圧力（即ち、高圧圧力）が所定の下限値よりも低下すると圧力スイッチ（95）が作動してＯＮ信号をコントローラ（80）に送信する。
【００７８】
コントローラ（80）では、ＯＮ信号を受信すると、異常判定部（81）が、凝縮器（40）が異常状態であると判定する。異常判定部（81）が異常状態と判定すると、異常時動作部（82）が、冷媒回路（20）の動作を停止すると共に、水回路（70）の流入管（71）に設けられた開閉弁（73）を閉状態に制御する異常時動作を行う。具体的には、異常時動作部（82）は、圧縮機ユニット（30）の第１〜第３圧縮機（31,32,33）の運転を停止し、電磁弁（29）を閉状態に制御して冷媒回路（20）の動作を停止し、開閉弁（73）を閉状態に制御して凝縮器（40）の冷却管（42）への冷却水の流入を停止する。
【００７９】
上述のような異常時動作により、冷媒回路（20）における冷媒の循環が停止し、水回路（70）における冷却水の流動も停止する。そのため、冷却管（42）に穴があいているために冷媒室（S1）の高圧冷媒が冷却管（42）内へ漏れても、冷媒室（S1）内の圧力が冷却管（42）内の圧力と等しくなったところで、冷媒の流出が止まり、それ以上、冷媒も冷却水も移動しなくなる。よって、このような異常時動作により、冷却管（42）内の冷却水が冷媒室（S1）内に漏れて冷媒回路（20）に浸入することを回避することができる。
【００８０】
−実施形態１の効果−
以上のように、本実施形態によれば、本発明に係る舶用冷凍装置としての空気調和装置（10）に、水冷式の凝縮器（40）において冷媒室の冷媒が冷却管（42）内へ漏れている異常状態を判定する異常判定部（81）と、該異常判定部（81）が異常状態と判定すると冷却管（42）から冷媒回路（20）への冷却水の浸入を回避するための所定の異常時動作を行う異常時動作部（82）とを設けることとした。このような異常判定部（81）と異常時動作部（82）とにより、冷却管（42）に穴があいた直後に生じる状態、即ち、冷媒室（S1）の冷媒が冷却管（42）内へ漏れている異常状態から冷却管（42）に穴があいたことを検知し、冷媒室（S1）内の圧力と冷却管（42）内の圧力とが等しくなって冷却管（42）から冷媒回路（20）に冷却水が浸入する前に、所定の異常時動作を行うことで、冷却管（42）から冷媒回路（20）への冷却水の浸入を回避することができる。従って、冷却管（42）に穴があいた場合であっても、冷媒回路（20）への冷却水の浸入による冷媒回路（20）の構成部品の破損を防止することができる。
【００８１】
また、本実施形態によれば、水冷式の凝縮器（40）の冷却管（42）に穴があくと、冷媒室（S1）の高圧の冷媒が冷却管（42）内に漏れて冷媒回路（20）全体の冷媒圧力が低下する。そのため、冷媒回路（20）内の所定箇所における冷媒圧力を用いることで、冷媒室（S1）の冷媒が冷却管（42）内へ漏れているか否かを容易に判定することができる。
【００８２】
特に、本実施形態では、水冷式の凝縮器（40）の冷却管（42）に穴があくと、冷媒室（S1）の高圧の冷媒が冷却管（42）内に漏れて冷媒回路（20）全体の冷媒圧力が低下することを利用するために、冷媒回路（20）の圧縮機構（30）と凝縮器（40）との間に、冷媒圧力（即ち、高圧圧力）が所定の下限値よりも低下すると作動する圧力スイッチ（95）を設けることとした。そして、該圧力スイッチ（95）が作動した際に、冷媒室（S1）の冷媒が冷却管内へ漏れている異常状態であると判定することとした。このように、本実施形態によれば、圧力スイッチ（95）を設けるだけで、冷媒室（S1）の冷媒が冷却管内へ漏れている異常状態であるであるか否かを容易に判定することができる。
【００８３】
また、本実施形態によれば、異常時動作部（82）が、異常時動作として冷媒回路（20）の動作を停止すると共に凝縮器（40）への冷却水の流入を止めることとした。これにより、冷却管（42）から冷媒回路（20）への冷却水の浸入を回避することができる。
【００８４】
《発明の実施形態２》
実施形態２に係る空気調和装置（10）は、実施形態１の空気調和装置（10）の構成を一部変更したものである。図４に示すように、実施形態２では、実施形態１の高圧ガス配管（24）に設けられた圧力スイッチ（95）の代わりに、冷媒圧力センサ（96）と、水圧センサ（97）とが設けられている。
【００８５】
冷媒圧力センサ（96）は、凝縮器（40）に設けられている。冷媒圧力センサ（96）は、水冷式の凝縮器（40）の冷媒室（S1）内の圧力（高圧圧力）を検出し、コントローラ（80）に送信するように構成されている。
【００８６】
一方、水圧センサ（97）は、流入管（71）の凝縮器（40）と開閉弁（73）との間に接続されている。水圧センサ（97）は、凝縮器（40）に流入する冷却水の圧力を検出し、コントローラ（80）に送信するように構成されている。
【００８７】
また、実施形態２では、コントローラ（80）の異常判定部（81）が、実施形態１と異なる異常判定を行うように構成されている。具体的には、異常判定部（81）は、冷媒圧力センサ（96）の検出値から水圧センサ（97）の検出値を減じた差圧が、所定の下限値を下回った場合に、冷媒室（S1）の冷媒が冷却管（42）内へ漏れている異常状態であると判定するように構成されている。なお、異常時動作部（82）によって実行される異常時動作は、実施形態１と同様である。
【００８８】
〈異常状態の判定と異常時動作〉
実施形態２においても、空気調和装置（10）では、水冷式の凝縮器（40）において、冷却管（42）が腐食して穴があき、冷媒室（S1）の冷媒が冷却管（42）内へ漏れている際（異常状態の際）に、冷却管（42）から冷媒回路（20）への冷却水の浸入を回避するための異常時動作を行う。
【００８９】
具体的には、水冷式の凝縮器（40）において、冷却管（42）の腐食により、該冷却管（42）に穴があくと、高圧の冷媒が流入する冷媒室（S1）と冷却水が流れる冷却管（42）内の圧力差により、冷媒室（S1）の冷媒が冷却管（42）内に漏れ、冷媒室（S1）内の圧力（冷媒回路（20）の高圧圧力）が低下する。そのため、冷媒室（S1）内の圧力から冷却管（42）内の冷却水の圧力（流入管（71）を介して凝縮器（40）に流入する冷却水の圧力）を減じた差圧がどんどん小さくなり、所定の下限値（＞０）を下回ったところで、異常判定部（81）が、凝縮器（40）が異常状態であると判定する。異常判定部（81）が異常状態と判定すると、異常時動作部（82）が、冷媒回路（20）の動作を停止すると共に、水回路（70）の流入管（71）に設けられた開閉弁（73）を閉状態に制御する異常時動作を行う。具体的には、異常時動作部（82）は、圧縮機ユニット（30）の第１〜第３圧縮機（31,32,33）の運転を停止し、電磁弁（29）を閉状態に制御して冷媒回路（20）の動作を停止し、開閉弁（73）を閉状態に制御して凝縮器（40）の冷却管（42）への冷却水の流入を停止する。
【００９０】
上述のような異常時動作により、冷媒回路（20）における冷媒の循環が停止し、水回路（70）における冷却水の流動も停止する。そのため、冷却管（42）に穴があいているために冷媒室（S1）の高圧冷媒が冷却管（42）内へ漏れても、冷媒室（S1）内の圧力が冷却管（42）内の圧力と等しくなったところで、冷媒の流出が止まり、それ以上、冷媒も冷却水も移動しなくなる。よって、このような異常時動作により、冷却管（42）内の冷却水が冷媒室（S1）内に漏れて冷媒回路（20）に浸入することを回避することができる。
【００９１】
−実施形態２の効果−
実施形態２によれば、冷媒室（S1）内の圧力から冷却管（42）内の冷却水の圧力を減じた差圧から、冷媒室（S1）内の圧力が冷却管（42）内の圧力まで下がる前の状態であることを検知し、冷却水が冷媒回路（20）に浸入する前に所定の異常時動作を行うことで、冷却管（42）から冷媒回路（20）への冷却水の浸入を回避することができる。従って、冷却管（42）に穴があいた場合であっても、冷媒回路（20）への冷却水の浸入による冷媒回路（20）の構成部品の破損を防止することができる。つまり、本実施形態２においても実施形態１と同様の効果を得ることが可能になる。
【００９２】
《発明の実施形態３》
実施形態３に係る空気調和装置（10）は、実施形態１の空気調和装置（10）の構成を一部変更したものである。図５に示すように、実施形態３では、実施形態１の高圧ガス配管（24）に設けられた圧力スイッチ（95）を省略し、コントローラ（80）の異常判定部（81）が、低圧圧力スイッチ（92）からのＯＮ信号を用いて、実施形態１と異なる異常判定を行うように構成されている。
【００９３】
具体的には、異常判定部（81）は、低圧圧力スイッチ（92）が作動して該低圧圧力スイッチ（92）からＯＮ信号を受信すると、冷媒室（S1）の冷媒が冷却管（42）内へ漏れている異常状態であると判定するように構成されている。なお、異常時動作部（82）によって実行される異常時動作は、実施形態１と同様である。
【００９４】
〈異常状態の判定と異常時動作〉
実施形態３においても、空気調和装置（10）では、水冷式の凝縮器（40）において、冷却管（42）が腐食して穴があき、冷媒室（S1）の冷媒が冷却管（42）内へ漏れている際（異常状態の際）に、冷却管（42）から冷媒回路（20）への冷却水の浸入を回避するための異常時動作を行う。
【００９５】
具体的には、水冷式の凝縮器（40）において、冷却管（42）の腐食により、該冷却管（42）に穴があくと、高圧の冷媒が流入する冷媒室（S1）と冷却水が流れる冷却管（42）内の圧力差により、冷媒室（S1）の冷媒が冷却管（42）内に漏れ、冷媒室（S1）内の圧力（冷媒回路（20）の高圧圧力）が低下する。これに伴い、冷媒回路（20）全体の冷媒圧力が低下する。そのため、冷媒回路（20）の蒸発器（60）と圧縮機構（30）との間における冷媒圧力もどんどん低下し、所定の下限値よりも低下すると、低圧圧力スイッチ（92）が作動してＯＮ信号をコントローラ（80）に送信する。
【００９６】
コントローラ（80）では、ＯＮ信号を受信すると、異常判定部（81）が、凝縮器（40）が異常状態であると判定する。異常判定部（81）が異常状態と判定すると、異常時動作部（82）が、冷媒回路（20）の動作を停止すると共に、水回路（70）の流入管（71）に設けられた開閉弁（73）を閉状態に制御する異常時動作を行う。具体的には、異常時動作部（82）は、圧縮機ユニット（30）の第１〜第３圧縮機（31,32,33）の運転を停止し、電磁弁（29）を閉状態に制御して冷媒回路（20）の動作を停止し、開閉弁（73）を閉状態に制御して凝縮器（40）の冷却管（42）への冷却水の流入を停止する。
【００９７】
上述のような異常時動作により、冷媒回路（20）における冷媒の循環が停止し、水回路（70）における冷却水の流動も停止する。そのため、冷却管（42）に穴があいているために冷媒室（S1）の高圧冷媒が冷却管（42）内へ漏れても、冷媒室（S1）内の圧力が冷却管（42）内の圧力と等しくなったところで、冷媒の流出が止まり、それ以上、冷媒も冷却水も移動しなくなる。よって、このような異常時動作により、冷却管（42）内の冷却水が冷媒室（S1）内に漏れて冷媒回路（20）に浸入することを回避することができる。
【００９８】
−実施形態３の効果−
実施形態３によれば、冷媒回路（20）の蒸発器（60）と圧縮機構（30）との間に、冷媒圧力（即ち、低圧圧力）が所定の下限値よりも低下すると作動する低圧圧力スイッチ（92）を設けることにより、該低圧圧力スイッチ（92）の作動から冷媒室（S1）の冷媒が冷却管（42）内へ漏れている異常状態であるか否かを容易に判定することができる。
【００９９】
なお、冷媒回路（20）の蒸発器（60）と圧縮機構（30）との間には、通常、冷媒回路（20）の低圧圧力が異常に低い低圧異常を回避するべく、低圧圧力が所定の下限値を下回ると作動してＯＮ信号をコントローラ（80）に送信する低圧圧力スイッチ（92）が設けられている。そのため、本実施形態３によれば、この既存の低圧圧力スイッチ（92）を用いることで異常状態であるか否かを容易に判定することができ、冷却管（42）から冷媒回路（20）に冷却水が浸入する前に、所定の異常時動作を行うことで、冷却管（42）から冷媒回路（20）への冷却水の浸入を回避することができる。
【０１００】
《発明の実施形態４》
実施形態４に係る空気調和装置（10）は、実施形態１の空気調和装置（10）の構成を一部変更したものである。図６に示すように、実施形態４では、実施形態１の高圧ガス配管（24）に設けられた圧力スイッチ（95）の代わりに、差圧スイッチ（98）が設けられている。
【０１０１】
差圧スイッチ（98）は、凝縮器（40）と流入管（71）とに接続されている。具体的には、差圧スイッチ（98）の一端は、水冷式の凝縮器（40）の冷媒室（S1）に接続され、他端は、流入管（71）の凝縮器（40）と開閉弁（73）との間に接続されている。差圧スイッチ（98）は、一端と他端の圧力差、即ち、水冷式の凝縮器（40）の冷媒室（S1）内の圧力（高圧圧力）から凝縮器（40）に流入する冷却水の圧力を減じた差圧が、著しく低下して所定の下限値を下回る際に、作動してＯＮ信号をコントローラ（80）に送信するように構成されている。
【０１０２】
また、実施形態４では、コントローラ（80）の異常判定部（81）が、実施形態１と異なる異常判定を行うように構成されている。具体的には、異常判定部（81）は、差圧スイッチ（98）が作動して該差圧スイッチ（98）からＯＮ信号が入力されると、冷媒室（S1）の冷媒が冷却管（42）内へ漏れている異常状態であると判定するように構成されている。なお、異常時動作部（82）によって実行される異常時動作は、実施形態１と同様である。
【０１０３】
〈異常状態の判定と異常時動作〉
実施形態４においても、空気調和装置（10）では、水冷式の凝縮器（40）において、冷却管（42）が腐食して穴があき、冷媒室（S1）の冷媒が冷却管（42）内へ漏れている際（異常状態の際）に、冷却管（42）から冷媒回路（20）への冷却水の浸入を回避するための異常時動作を行う。
【０１０４】
具体的には、水冷式の凝縮器（40）において、冷却管（42）の腐食により、該冷却管（42）に穴があくと、高圧の冷媒が流入する冷媒室（S1）と冷却水が流れる冷却管（42）内の圧力差により、冷媒室（S1）の冷媒が冷却管（42）内に漏れ、冷媒室（S1）内の圧力（冷媒回路（20）の高圧圧力）が低下する。そのため、冷媒室（S1）内の圧力から冷却管（42）内の冷却水の圧力（流入管（71）を介して凝縮器（40）に流入する冷却水の圧力）を減じた差圧がどんどん小さくなり、所定の下限値（＞０）を下回ったところで差圧スイッチ（98）が作動して、異常判定部（81）が、凝縮器（40）が異常状態であると判定する。異常判定部（81）が異常状態と判定すると、異常時動作部（82）が、冷媒回路（20）の動作を停止すると共に、水回路（70）の流入管（71）に設けられた開閉弁（73）を閉状態に制御する異常時動作を行う。具体的には、異常時動作部（82）は、圧縮機ユニット（30）の第１〜第３圧縮機（31,32,33）の運転を停止し、電磁弁（29）を閉状態に制御して冷媒回路（20）の動作を停止し、開閉弁（73）を閉状態に制御して凝縮器（40）の冷却管（42）への冷却水の流入を停止する。
【０１０５】
上述のような異常時動作により、冷媒回路（20）における冷媒の循環が停止し、水回路（70）における冷却水の流動も停止する。そのため、冷却管（42）に穴があいているために冷媒室（S1）の高圧冷媒が冷却管（42）内へ漏れても、冷媒室（S1）内の圧力が冷却管（42）内の圧力と等しくなったところで、冷媒の流出が止まり、それ以上、冷媒も冷却水も移動しなくなる。よって、このような異常時動作により、冷却管（42）内の冷却水が冷媒室（S1）内に漏れて冷媒回路（20）に浸入することを回避することができる。
【０１０６】
−実施形態４の効果−
実施形態４によれば、冷媒室（S1）内の圧力から冷却管（42）内の冷却水の圧力を減じた差圧から、冷媒室（S1）内の圧力が冷却管（42）内の圧力まで下がる前の状態であることを検知し、冷却水が冷媒回路（20）に浸入する前に所定の異常時動作を行うことで、冷却管（42）から冷媒回路（20）への冷却水の浸入を回避することができる。従って、冷却管（42）に穴があいた場合であっても、冷媒回路（20）への冷却水の浸入による冷媒回路（20）の構成部品の破損を防止することができる。つまり、本実施形態４においても実施形態１と同様の効果を得ることが可能になる。
【０１０７】
《その他の実施形態》
上記実施形態１の空気調和装置（10）において、高圧ガス配管（24）に設けられた圧力スイッチ（95）の代わりに、水冷式の凝縮器（40）に、冷媒室（S1）内における液冷媒の液面の高さを検出してコントローラ（80）に送信する液面センサを設け、該液面センサの検出値を用いて異常状態を判定することとしてもよい。具体的には、異常判定部（81）を、液面センサの検出値が所定の規定値を下回ったときに、冷媒室（S1）の冷媒が冷却管（42）内へ漏れている異常状態であると判定するように構成する。冷却管（42）に穴があくと、高圧の冷媒が流入する冷媒室（S1）と冷却水が流れる冷却管（42）内の圧力差により、冷媒室（S1）の冷媒が冷却管（42）内に漏れる。そのため、冷媒室（S1）内における液冷媒の液面の高さが低下する。このような液冷媒の液面の高さを利用することによっても、容易に異常状態であるか否かを容易に判定することができ、冷却管（42）から冷媒回路（20）に冷却水が浸入する前に、所定の異常時動作を行うことで、冷却管（42）から冷媒回路（20）への冷却水の浸入を回避することができる。
【０１０８】
上記各実施形態では、コントローラ（80）を、異常時動作部（82）が異常時動作として、冷媒回路（20）の動作を停止すると共に、水回路（70）の流入管（71）に設けられた開閉弁（73）を閉状態に制御する異常時動作を行うように構成されていた。しかしながら、異常時動作は、上記各実施形態のものに限られない。例えば、開閉弁（73）を手動の開閉弁に構成し、コントローラ（80）を、異常時動作部（82）が異常時動作として警報を発するように構成されていてもよい。このような場合、異常時動作部（82）によって発せられた警報によって、作業者が異常状態であることを検知することができる。よって、作業者によって、冷媒回路（20）の動作を停止し、開閉弁（73）を閉じることにより、上記各実施形態と同様に、冷却管（42）内の冷却水が冷媒室（S1）内に漏れて冷媒回路（20）に浸入することを回避することができる。
【産業上の利用可能性】
【０１０９】
以上説明したように、本発明は、水冷式の凝縮器を備え、船舶の空気調和装置等に用いられる舶用冷凍装置について有用である。
【符号の説明】
【０１１０】
１０      空気調和装置（舶用冷凍装置）
２０      冷媒回路
３０      圧縮機ユニット（圧縮機構）
４０      凝縮器
４１      シェル
４２      冷却管
５０      膨張弁（膨脹機構）
６０      蒸発器
７１      流入管
７３      開閉弁
８０      コントローラ
８１      異常判定部
８２      異常時動作部
９１      高圧圧力スイッチ
９２      低圧圧力スイッチ
９３      高圧圧力センサ
９４      低圧圧力センサ
９５      圧力スイッチ
９６      冷媒圧力センサ
９７      水圧センサ
９８      差圧スイッチ
Ｓ１      冷媒室
【図１】
0006766518.tif 000002
【図２】
0006766518.tif 000003
【図３】
0006766518.tif 000004
【図４】
0006766518.tif 000005
【図５】
0006766518.tif 000006
【図６】
0006766518.tif 000007